(57)【要約】  端末装置に関する高速のページング応答および低消費電力の両方を実現するために無線（例えば、ＯＦＤＭＡ）通信システム内の端末装置をページングするための技術について記載する。端末装置は、基地局からページングインジケータを受信する。ページングインジケータが、端末装置が潜在的にページングされていることを示す場合、このとき、端末装置は、ページングチャネルから少なくとも１つのページングメッセージを受信する。端末装置は、少なくとも１つのページングメッセージのうちのいずれか１つが、例えば、各ページングメッセージ内に含まれる識別情報に基づいて端末装置用であるかどうかを決定する。ページングメッセージが、端末装置がページングされたことを示す場合、このとき、端末装置は、ページングメッセージに対する肯定応答を送信する。基地局は、肯定応答に基づいて端末装置のタイミングを推定することができ、端末装置にタイミング調整を送信することができる。端末装置は、タイミング調整に基づいてそのタイミングを調整することができ、競合することなくシステムに迅速にアクセスすることを可能にすることができる。
2009544244.tif 000002
【特許請求の範囲】
【請求項１】
ページングインジケータを搬送する少なくとも１つのＯＦＤＭシンボルを受信し、前記ページングインジケータを検出するために前記少なくとも１つのＯＦＤＭシンボルを処理し、そして前記ページングインジケータが、前記端末装置が潜在的にページングされていることを示す場合にページングチャネルから少なくとも１つのページングメッセージを受信するように構成された少なくとも１つのプロセッサと、
前記少なくとも１つのプロセッサに結合されたメモリと、
を備える端末装置。
【請求項２】
前記ページングインジケータは、端末装置の少なくとも１つのグループに対して少なくとも１つのインジケータビット、端末装置の各グループに対して１つのインジケータビットを備え、そして各インジケータビットは、前記端末装置の関連するグループ内の少なくとも１つの端末装置がページングされているかどうかを示す請求項１に記載の端末装置。
【請求項３】
前記ページングインジケータは、端末装置の複数のグループに対して複数のインジケータビット、端末装置の各グループに対して１つのインジケータビットを備え、各インジケータビットは、前記端末装置の関連するグループ内の少なくとも１つの端末装置がページングされているかどうかを示す請求項１に記載の端末装置。
【請求項４】
前記複数のインジケータビットは、前記ページングチャネルの複数のセグメントにさらに関連付けられ、各インジケータビットに対して１つのセグメント、そして前記複数のグループの端末装置用のページングメッセージは、前記ページングチャネルの前記複数のセグメント内で送信される請求項３に記載の端末装置。
【請求項５】
前記ページングチャネルの各セグメントは、ページングされている１つの端末装置用の多くても１つのページングメッセージを搬送する請求項４に記載の端末装置。
【請求項６】
前記少なくとも１つのプロセッサは、前記端末装置に適用できるインジケータビットが設定されているかどうかを決定し、そして前記インジケータビットが設定されている場合に前記インジケータビットに関連した前記ページングチャネルのセグメントからページングメッセージを受信するように構成されている請求項４に記載の端末装置。
【請求項７】
前記ページングインジケータは、端末装置の少なくとも１つのグループ内の複数の端末装置がページングされているかどうかを示す拡張ビットをさらに備える請求項４に記載の端末装置。
【請求項８】
前記少なくとも１つのプロセッサは、前記端末装置に適用できるインジケータビットが設定されているかどうかを決定し、前記拡張ビットが設定されているかどうかを決定し、そして前記インジケータビットおよび前記拡張ビットが設定されている場合に前記ページングチャネルの前記複数のセグメントからページングメッセージを受信するように構成されている請求項７に記載の端末装置。
【請求項９】
前記少なくとも１つのページングメッセージのそれぞれは、ページングされている端末装置に関する識別情報を備える請求項１に記載の端末装置。
【請求項１０】
前記少なくとも１つのページングメッセージのそれぞれは、ページングされている端末装置によって実行されるべき動作を示すページング形式を備える請求項１に記載の端末装置。
【請求項１１】
前記少なくとも１つのプロセッサは、前記少なくとも１つのページングメッセージのうちのいずれか１つが前記端末装置用であるかどうかを決定し、そしてページングメッセージが前記端末装置用である場合に前記ページングメッセージの前記ページング形式によって示される前記動作を実行するように構成されている請求項１０に記載の端末装置。
【請求項１２】
前記少なくとも１つのプロセッサは、前記少なくとも１つのページングメッセージのうちのいずれか１つが前記端末装置用であるかどうかを決定し、そしてページングメッセージが前記端末装置用である場合に前記ページングメッセージに対する肯定応答を送信するように構成されている請求項１に記載の端末装置。
【請求項１３】
前記少なくとも１つのプロセッサは、前記ページングインジケータを搬送する単一のＯＦＤＭシンボルを受信するように構成されている請求項１に記載の端末装置。
【請求項１４】
前記少なくとも１つのプロセッサは、前記ページングチャネルに関する各時間対周波数ブロックから前記少なくとも１つのページングメッセージのそれぞれを受信するように構成されている請求項１に記載の端末装置。
【請求項１５】
前記ページングインジケータは、１００ミリ秒未満の周期性で送信される請求項１に記載の端末装置。
【請求項１６】
ページングインジケータを搬送する少なくとも１つのＯＦＤＭシンボルを端末装置で受信することと、
前記ページングインジケータを検出するために前記少なくとも１つのＯＦＤＭシンボルを処理することと、
前記ページングインジケータが、前記端末装置が潜在的にページングされていることを示す場合にページングチャネルから少なくとも１つのページングメッセージを受信することと、
を備える方法。
【請求項１７】
前記少なくとも１つのページングメッセージを前記受信することは、
前記端末装置に適用できるインジケータビットが設定されているかどうかを決定することと、
前記インジケータビットが設定されている場合に前記インジケータビットに関連した前記ページングチャネルのセグメントからページングメッセージを受信することと、
を備える請求項１６に記載の方法。
【請求項１８】
前記少なくとも１つのページングメッセージを前記受信することは、
前記端末装置に適用できるインジケータビットが設定されているかどうかを決定することと、
拡張ビットが設定されているかどうかを決定することと、
前記インジケータビットおよび前記拡張ビットが設定されている場合に前記ページングチャネルの複数のセグメントからページングメッセージを受信することと、
を備える請求項１６に記載の方法。
【請求項１９】
前記少なくとも１つのページングメッセージのうちのいずれか１つが前記端末装置用であるかどうかを決定することと、
ページングメッセージが前記端末装置用である場合に前記ページングメッセージに対する肯定応答を送信することと、
をさらに備える請求項１６に記載の方法。
【請求項２０】
ページングインジケータを搬送する少なくとも１つのＯＦＤＭシンボルを端末装置で受信するための手段と、
前記ページングインジケータを検出するために前記少なくとも１つのＯＦＤＭシンボルを処理するための手段と、
前記ページングインジケータが、前記端末装置が潜在的にページングされていることを示す場合にページングチャネルから少なくとも１つのページングメッセージを受信するための手段と、
を備える装置。
【請求項２１】
前記少なくとも１つのページングメッセージを受信するための前記手段は、
前記端末装置に適用できるインジケータビットが設定されているかどうかを決定するための手段と、
前記インジケータビットが設定されている場合に前記インジケータビットに関連した前記ページングチャネルのセグメントからページングメッセージを受信するための手段と、
を備える請求項２０に記載の装置。
【請求項２２】
前記少なくとも１つのページングメッセージを受信するための前記手段は、
前記端末装置に適用できるインジケータビットが設定されているかどうかを決定するための手段と、
拡張ビットが設定されているかどうかを決定するための手段と、
前記インジケータビットおよび前記拡張ビットが設定されている場合に前記ページングチャネルの複数のセグメントからページングメッセージを受信するための手段と、
を備える請求項２０に記載の装置。
【請求項２３】
前記少なくとも１つのページングメッセージのうちのいずれか１つが前記端末装置用であるかどうかを決定するための手段と、
ページングメッセージが前記端末装置用である場合に前記ページングメッセージに対する肯定応答を送信するための手段と、
をさらに備える請求項２０に記載の装置。
【請求項２４】
その上に記憶された命令を含むコンピュータ可読媒体であって、
ページングインジケータを搬送する少なくとも１つのＯＦＤＭシンボルの受信を指示するための第１の命令セットと、
前記ページングインジケータを検出するために前記少なくとも１つのＯＦＤＭシンボルの処理を指示するための第２の命令セットと、
前記ページングインジケータが、前記端末装置が潜在的にページングされていることを示す場合にページングチャネルから少なくとも１つのページングメッセージを受信することを指示するための第３の命令セットと、
を備えるコンピュータ可読媒体。
【請求項２５】
ページングチャネルから少なくとも１つのページングメッセージを受信し、前記少なくとも１つのページングメッセージのうちのいずれか１つが端末装置用であるかどうかを決定し、ページングメッセージが前記端末装置用である場合に前記ページングメッセージに対する肯定応答を送信するように構成された少なくとも１つのプロセッサと、
前記少なくとも１つのプロセッサに結合されたメモリと、
を備える端末装置。
【請求項２６】
前記少なくとも１つのプロセッサは、前記肯定応答を送信するために留保された無線リソース内で前記ページングメッセージに対する前記肯定応答を送信するように構成されている請求項２５に記載の端末装置。
【請求項２７】
前記無線リソースは、少なくとも１つの指定されたシンボル周期内に少なくとも１つの指定されたトーンを備え、不正確なタイミングを有する端末装置によって使用されるのに適している請求項２６に記載の端末装置。
【請求項２８】
前記肯定応答は、前記端末装置に特定した情報を搬送しない請求項２５に記載の端末装置。
【請求項２９】
前記少なくとも１つのプロセッサは、少なくとも１つの波形を生成し、各波形は共通の主要部を有する複数のＯＦＤＭシンボルを備え、前記肯定応答に関する前記少なくとも１つの波形を送信するように構成されている請求項２５に記載の端末装置。
【請求項３０】
前記少なくとも１つのプロセッサは、前記ページングメッセージに対して送信された前記肯定応答に基づいて基地局によって決定されたタイミング調整を受信し、前記タイミング調整に基づいて前記端末装置のタイミングを調整するように構成されている請求項２５に記載の端末装置。
【請求項３１】
前記少なくとも１つのプロセッサは、前記ページングメッセージに関するさらなる情報を得るために基地局と通信するように構成されている請求項２５に記載の端末装置。
【請求項３２】
前記少なくとも１つのプロセッサは、ページングインジケータを受信し、前記ページングインジケータが、前記端末装置が潜在的にページングされていることを示す場合に前記少なくとも１つのページングメッセージを受信するように構成されている請求項２５に記載の端末装置。
【請求項３３】
前記少なくとも１つのプロセッサは、スリープ状態にある間に前記ページングチャネルから前記少なくとも１つのページングメッセージを受信し、前記端末装置用の前記ページングメッセージがさらなる通信を示さない場合に前記スリープ状態のままであるように構成されている請求項２５に記載の端末装置。
【請求項３４】
前記少なくとも１つのプロセッサは、前記端末装置用の前記ページングメッセージがさらなる通信を示す場合にアクティブ状態に移動するように構成されている請求項３３に記載の端末装置。
【請求項３５】
ページングチャネルから少なくとも１つのページングメッセージを端末装置で受信することと、
前記少なくとも１つのページングメッセージのうちのいずれか１つが前記端末装置用であるかどうかを決定することと、
ページングメッセージが前記端末装置用である場合に前記ページングメッセージに対する肯定応答を送信することと、
を備える方法。
【請求項３６】
前記肯定応答を前記送信することは、
少なくとも１つの波形を生成することと、各波形は共通の主要部を有する複数のＯＦＤＭシンボルを備え、
前記肯定応答に関する前記少なくとも１つの波形を送信することと、
を備える請求項３５に記載の方法。
【請求項３７】
前記ページングメッセージに対して送信された前記肯定応答に基づいて基地局によって決定されたタイミング調整を受信することと、
前記タイミング調整に基づいて前記端末装置のタイミングを調整することと、
をさらに備える請求項３５に記載の方法。
【請求項３８】
ページングチャネルから少なくとも１つのページングメッセージを端末装置で受信するための手段と、
前記少なくとも１つのページングメッセージのうちのいずれか１つが前記端末装置用であるかどうかを決定するための手段と、
ページングメッセージが前記端末装置用である場合に前記ページングメッセージに対する肯定応答を送信するための手段と、
を備える装置。
【請求項３９】
前記肯定応答を送信するための前記手段は、
少なくとも１つの波形を生成するための手段と、各波形は、共通の主要部を有する複数のＯＦＤＭシンボルを備え、
前記肯定応答に関する前記少なくとも１つの波形を送信するための手段と、
を備える請求項３８に記載の装置。
【請求項４０】
前記ページングメッセージに対して送信された前記肯定応答に基づいて基地局によって決定されたタイミング調整を受信するための手段と、
前記タイミング調整に基づいて前記端末装置のタイミングを調整するための手段と、
をさらに備える請求項３８に記載の装置。
【請求項４１】
非コヒーレント変調を使用して送信されたページングインジケータを受信し、受信したページングインジケータに非コヒーレント検波を実行し、検出されたページングインジケータに基づいてページングメッセージを受信すべきかどうかを決定するように構成された少なくとも１つのプロセッサと、
前記少なくとも１つのプロセッサに結合されたメモリと、
を備える装置。
【請求項４２】
前記少なくとも１つのプロセッサは、通信チャネルを介して前記ページングインジケータを受信し、少なくとも１つの以前のシンボルから前記通信チャネルに関するチャネル推定を得ることなく前記受信したページングインジケータに非コヒーレント検波を実行するように構成されている請求項４１に記載の装置。
【請求項４３】
前記少なくとも１つのプロセッサは、前記ページングインジケータを搬送するＯＦＤＭシンボルを受信し、周波数領域シンボルを得るために前記受信したＯＦＤＭシンボルにＦＦＴを実行し、前記少なくとも１つの検出されたページングインジケータを得るために前記周波数領域シンボルに非コヒーレント検波を実行するように構成されている請求項４１に記載の装置。
【請求項４４】
前記少なくとも１つのプロセッサは、前記検出されたページングインジケータが前記ページングメッセージを受信することを示す場合に前記ページングメッセージに対して同期検波を実行するように構成されている請求項４１に記載の装置。
【請求項４５】
非コヒーレント変調を使用して送信されたページングインジケータを受信することと、
前記受信したページングインジケータに非コヒーレント検波を実行することと、
検出されたページングインジケータに基づいてページングメッセージを受信すべきかどうかを決定することと、
を備える方法。
【請求項４６】
前記ページングインジケータを前記受信することは、前記ページングインジケータを搬送するＯＦＤＭシンボルを受信することを備え、非コヒーレント検波を前記実行することは、周波数領域シンボルを得るために前記受信したＯＦＤＭシンボルにＦＦＴを実行することと、前記検出されたページングインジケータを得るために前記周波数領域シンボルに非コヒーレント検波を実行することとを備える請求項４５に記載の方法。
【請求項４７】
非コヒーレント変調を使用して送信されたページングインジケータを受信するための手段と、
前記受信したページングインジケータに非コヒーレント検波を実行するための手段と、
検出されたページングインジケータに基づいてページングメッセージを受信すべきかどうかを決定するための手段と、
を備える装置。
【請求項４８】
前記ページングインジケータを受信するための前記手段は、前記ページングインジケータを搬送するＯＦＤＭシンボルを受信するための手段を備え、非コヒーレント検波を実行するための前記手段は、周波数領域シンボルを得るために前記受信したＯＦＤＭシンボルにＦＦＴを実行するための手段と、前記検出されたページングインジケータを得るために前記周波数領域シンボルに非コヒーレント検波を実行するための手段とを備える請求項４７に記載の装置。
【請求項４９】
端末装置が潜在的にページングされているかどうかを示すページングインジケータを搬送する少なくとも１つのＯＦＤＭシンボルを送信し、ページングされている端末装置にページングチャネル上でページングメッセージを送信するように構成された少なくとも１つのプロセッサと、
前記少なくとも１つのプロセッサに結合されたメモリと、
を備える装置。
【請求項５０】
前記少なくとも１つのプロセッサは、ページングされている前記端末装置から肯定応答を受信するように構成されている請求項４９に記載の装置。
【請求項５１】
前記少なくとも１つのプロセッサは、肯定応答が受信されないページングメッセージを再送信するように構成されている請求項５０に記載の装置。
【請求項５２】
前記少なくとも１つのプロセッサは、前記端末装置から受信された肯定応答に基づいてページングされている少なくとも１つの端末装置のそれぞれのタイミングを推定し、前記少なくとも１つの端末装置のそれぞれにタイミング調整を送信するように構成されている請求項５０に記載の装置。
【請求項５３】
前記少なくとも１つのプロセッサは、変調シンボルを得るために前記ページングインジケータに非コヒーレント変調を実行し、前記変調シンボルに関する前記少なくとも１つのＯＦＤＭシンボルを生成するように構成されている請求項４９に記載の装置。
【発明の詳細な説明】
【技術分野】
【０００１】
本開示は、概して通信に関し、より具体的には無線通信システム内の端末装置をページングするための技術に関する。
【背景技術】
【０００２】
無線通信システム内の端末装置（例えば、セルラーシステム内の携帯電話）は、任意の所与の時間にアクティブ状態およびスリープ状態などのいくつかの状態のうちの１つで動作することができる。アクティブ状態において、端末装置は、例えば、音声呼またはデータ呼に関して１つまたは複数の基地局とデータを活発に交換することができる。スリープ状態において、端末装置は、バッテリ電源を保存するために多くの時間で電源を切られることがあり、端末装置に送信されるページングメッセージのためのページングチャネルを定期的に監視することができる。これらのページングメッセージは、端末装置に着呼の存在を警告するまたは他の情報を提供することができる。
【０００３】
端末装置は、持ち運びすること、および内部バッテリによって電源供給されることがある。この場合には、バッテリの再充電間のスタンバイ時間および呼がなされるときの通話時間の両方を延ばすためにスリープ状態にある間、消費電力を低減することが望ましい。低消費電力は、時間上はるかに離間されている指定されたページング間隔内でページングメッセージを送信することによって実現されることあり、次いでそれは端末装置が大部分の時間にわたって電源を切ることを可能にする。しかし、まれなレートでページングメッセージを送信すると端末装置をページングするのに長い応答時間をもたらしうる。例えば、着呼が１つのページング間隔直後に受信される場合、このとき、システムが端末装置をページングすることができる前に、システムは、はるかに離れていることがある次のページング間隔まで待たないといけない。この長いページング応答は、プッシュツートーク、インスタントメッセージングなどの高速の応答時間を必要とするいくつかのアプリケーションにとって望ましくないまたは許容できないことがある。
【０００４】
したがって、ここでは、端末装置に関する高速のページング応答および低消費電力の両方を実現することができるページング技術の技術分野が必要である。
【発明の概要】
【０００５】
高速のページング応答および低消費電力の両方を実現するための無線通信システム内の端末装置をページングするための技術について本明細書に記載されている。１つの態様ではページングは、ページングインジケータ、ページングメッセージおよびページング肯定応答を使用する多段階のページング処理を用いて実現される。ページングインジケータは、端末装置がページングされることがあるかどうか、したがって、次のページング間隔内でページングメッセージを受信すべきであるかどうかを示す。ページングメッセージは、ページングされている端末装置を識別し、そして基本情報、例えば、ページングされた端末装置を識別するために使用される識別情報およびページングされた端末装置によって実行されるべき動作を示す情報を搬送することができる。ページング肯定応答は、ページングメッセージの受信に肯定応答し、該当する場合にはシステムのアクセスを開始する働きをする。ページングインジケータ、ページングメッセージおよびページング肯定応答は、下記で説明されるように効率的に送信されることがある。
【０００６】
１つの実施形態において、端末装置は、無線通信システム、例えば、ＯＦＤＭＡシステム内の基地局からページングインジケータを受信する。ページングインジケータが、端末装置が潜在的にページングされていることを示す場合、このとき、端末装置は、ページングチャネルから少なくとも１つのページングメッセージを受信する。端末装置は、少なくとも１つのページングメッセージのうちのいずれか１つが、例えば、各ページングメッセージの中に含まれる識別情報に基づいて端末装置用であるかどうかを決定する。端末装置がページングされたことを示すページングメッセージが端末装置用である場合、このとき、端末装置はページングメッセージに対する肯定応答を送信する。肯定応答は、ページングされた端末装置だけによって使用されるために留保される非競合のチャネルリソースを用いて送信されることがある。基地局は、肯定応答に基づいて端末装置のタイミングを推定することができ、端末装置にタイミング調整を送信することができる。端末装置は、タイミング調整に基づいてそのタイミングを調整することができ、システムに迅速にアクセスすることがある。端末装置は、例えば、端末装置がシステムのアクティブ状態に移動した後にトラヒックチャネルおよび／または制御チャネルを介してさらなるページング情報を受信することができる。
【０００７】
本発明の様々な態様および実施形態が下記でさらに詳細に説明される。
【０００８】
本発明の実施形態の態様は、同様の参照文字がそれに対応して識別する図面と共に用いられるときに下記に記載された詳細な説明からより明らかになる。
【図面の簡単な説明】
【０００９】
【図１】図１は、無線通信システムを示す。
【図２】図２は、例示の信号構造を示す。
【図３】図３は、端末装置に関する例示の状態図を示す。
【図４】図４は、端末装置に関するページング動作を示す。
【図５】図５は、ダウンリンクブロードキャストフラッシュページングチャネル（ＤＬ．ＢＣＨ．ＦＰＧ）およびダウンリンクページングチャネル（ＤＬ．ＰＣＨ）に関する伝送方式を示す。
【図６】図６は、ページングメッセージを受信するための処理を示す。
【図７】図７は、ページング肯定応答に関する例示の波形を示す。
【図８Ａ】図８Ａは、ダウンリンク上のページングインジケータおよびページングメッセージならびにアップリンク上のページング肯定応答の伝送を示す。
【図８Ｂ】図８Ｂは、ダウンリンク上のページングインジケータおよびページングメッセージならびにアップリンク上のページング肯定応答の伝送を示す。
【図９】ページングインジケータを受信するための処理を示す。
【図１０】ページングインジケータを受信するための装置を示す。
【図１１】ページングインジケータおよびページングメッセージを受信するための処理を示す。
【図１２】ページングインジケータおよびページングメッセージを受信するための装置を示す。
【図１３】基地局および端末装置のブロック図を示す。
【発明を実施するための形態】
【００１０】
語「例示」は、「例、事例、または説明として働くこと」を意味するために本明細書で使用される。「例示」として本明細書で説明される任意の実施形態または設計は、必ずしも他の実施形態または設計より好ましいまたは有利として解釈されるべきではない。
【００１１】
図１は、複数の基地局１１０および複数の端末装置１２０を有する無線通信システム１００を示す。基地局は、端末装置と通信する局である。基地局は、ノードＢ、アクセスポイント、および／またはある他のネットワークエンティティと呼ばれることもでき、そして、ノードＢ、アクセスポイント、および／またはある他のネットワークエンティティの機能の一部またはすべてを含むことができる。各基地局１１０は、特定の地理的領域１０２に対する通信範囲を提供する。用語「セル」は、用語が使用される文脈に応じて基地局および／またはその受信範囲領域と意味することができる。システム容量を向上するために、基地局の受信範囲領域は、複数のより小さい領域、例えば、３つのより小さい領域１０４ａ、１０４ｂおよび１０４ｃに分割されることがある。それぞれのより小さい領域は、基底トランシーバサブシステム（ＢＴＳ）と呼ばれることもできる各基地局セクタ（ＢＳＳ）によって受け持たれることがある。用語「セクタ」は、用語が使用される文脈に応じてＢＳＳおよび／またはその受信範囲領域と意味することができる。セクタ化されたセルにおいて、そのセルのすべてのセクタに関するＢＳＳは、一般的にセルに関する基地局内に共に配置される。本明細書で説明されるページング技術は、セクタ化されたセルを有するシステムならびに非セクタ化されたセルを有するシステムのために使用されることがある。下記の説明では、用語「基地局」は、セルを受け持つ局ならびにセクタを受け持つ局を総称的に意味する。
【００１２】
集中型アーキテクチャにおいて、システムコントローラ１３０は、基地局１１０に結合し、これらの基地局に関する協調および制御を提供する。システムコントローラ１３０は、単一のネットワークエンティティまたはネットワークエンティティの集合体であることがある。システムコントローラ１３０は、基地局コントローラ（ＢＳＣ）、移動交換局（ＭＳＣ）、無線ネットワークコントローラ（ＲＮＣ）、および／またはある他のネットワークエンティティと呼ばれることもでき、基地局コントローラ（ＢＳＣ）、移動交換局（ＭＳＣ）、無線ネットワークコントローラ（ＲＮＣ）、および／またはある他のネットワークエンティティの機能の一部またはすべてを含むことができる。分散型アーキテクチャにおいて、基地局は、必要に応じて互いに通信することができる。
【００１３】
端末装置１２０は、システム中に分散されることがあり、そして、各端末装置は、固定型または移動型であってよい。端末装置は、無線端末装置（ＷＴ）、アクセス端末装置（ＡＴ）、移動局（ＭＳ）、ユーザ装置（ＵＥ）、加入者局および／またはある他のエンティティと呼ばれることもでき、無線端末装置（ＷＴ）、アクセス端末装置（ＡＴ）、移動局（ＭＳ）、ユーザ装置（ＵＥ）、加入者局および／またはある他のエンティティの機能の一部またはすべてを含むことができる。端末装置は、無線装置、携帯電話、携帯情報端末（ＰＤＡ）、無線モデム、ハンドヘルド装置などであってよい。端末装置は、ダウンリンクおよびアップリンク上での伝送を介して１つまたは複数の基地局と通信することができる。ダウンリンク（または順方向リンク）は、基地局から端末装置への通信リンクを意味し、アップリンク（または逆方向リンク）は、端末装置から基地局への通信リンクを意味する。
【００１４】
本明細書で説明されるページング技術は、様々な無線通信システムのために使用されることがある。これらの技術は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、Ｆｌａｓｈ−ＯＦＤＭ（登録商標）、およびシングルキャリアＦＤＭＡ（ＳＣ−ＦＤＭＡ）などの様々な無線技術および多元接続方式のために使用されることもある。ＯＦＤＭＡおよびＳＣ−ＦＤＭＡは、周波数帯域（例えば、システム帯域幅）をサブキャリア、サブバンド、ビンなどとも呼ばれる複数の直交トーンに分割する。各トーンは、データと共に変調されることがある。概して、変調シンボルは、ＯＦＤＭＡを用いて周波数領域内で送信され、ＳＣ−ＦＤＭＡを用いて時間領域内で送信される。その技術は、多元接続方式の組合せ、例えば、ＯＦＤＭＡとＣＤＭＡを使用する無線通信システムのために使用されることもある。
【００１５】
明確にするために、ページング技術は、例示のＯＦＤＭＡシステムに関して、下記で具体的に説明される。概して、ＯＦＤＭＡシステムは、任意の数（Ｋ）の総トーンおよび任意の数の使用可能なトーンを有する任意のトーン構造を使用することができる。ＯＦＤＭシンボルは、（１）伝送のために使用されるトーン上に変調シンボルをマッピングすること、（２）伝送のために使用されないトーン上にゼロシンボル（ゼロの信号値を有する）をマッピングすること、（３）Ｋ個の時間領域サンプルを有するＦＦＴ主要部を得るために変調シンボルおよびゼロシンボルにＫ点の逆高速フーリエ変換（ＩＦＦＴ）を実行すること、ならびに（４）図２に示されるように、Ｋ＋Ｃ個のサンプルを有するＯＦＤＭシンボルを形成するためにＦＦＴ主要部の開始点にＦＦＴ主要部の最後のＣ個のサンプルをコピーすることによって生成されることがある。Ｃ個のコピーされたサンプルは、サイクリックプレフィックスまたはガードインターバルと呼ばれ、そして、周波数選択性フェージングによって引き起こされる符号間干渉（ＩＳＩ）と取り組むために使用される。
【００１６】
１つの特定の実施形態において、ＯＦＤＭＡシステムは、Ｋ＝１２８の総トーンおよび１１３個の使用可能なトーンを有するトーン構造を使用する。１つの実施形態では、Ｃ＝１６であり、各ＯＦＤＭシンボルは１４４個のサンプル周期内で送信される１４４個のサンプルを有する。ＯＦＤＭシンボル周期（または単にシンボル周期）は、１つのＯＦＤＭシンボルの継続期間であり、１４４個のサンプル周期に等しい。
【００１７】
本明細書で説明されるページング技術は、ダウンリンクおよびアップリンクに関する様々な信号構造と共に使用されることがある。信号構造は、データおよびシグナリングがダウンリンクおよびアップリンクのそれぞれの上で送信される方法を示す。明確にするために、ダウンリンクおよびアップリンクに関する例示の信号構造は、下記で説明される。
【００１８】
図２は、信号構造２００の１つの実施形態を示す。伝送に関する時系列は、スーパーウルトラスロットに分割される。各スーパーウルトラスロットは、所定の継続時間（例えば、約１３．１秒）を有し、インデックス０〜７を有する８つのウルトラスロットを含む。各ウルトラスロットは、インデックス０〜１７を有する１８個のビーコンスロットを含み、各ビーコンスロットは、インデックス０〜７を有する８個のスーパースロットを含む。
【００１９】
ダウンリンクにおいて、各スーパースロットは、インデックス０〜７を有する８つのスロットが続くヘッダ（Ｈ）を含む。スーパースロットのヘッダは２つのシンボル周期に及び、各スロットは１４個のシンボル周期に及び、各スーパースロットは１１４個のシンボル周期に及ぶ。基地局は、各スロットの各シンボル周期内でトラヒックデータ、シグナリング、および／またはパイロットを送信することができる。アップリンクにおいて、各スーパースロットは、インデックス０〜１４を有する１５個のドウェルが続くアップリンクアクセスチャネル（ＵＬ．ＡＣＨ）を含む。ＵＬＡＣＨは、９つのシンボル周期に及び、各ドウェルは７つのシンボル周期に及び、各スーパースロットは１１４個のシンボル周期に及ぶ。１つまたは複数の端末装置は、各ドウェルの各シンボル周期内でトラヒックデータ、シグナリング、および／またはパイロットを送信することができる。
【００２０】
図２は、ダウンリンクおよびアップリンクに関する特定の信号構造を示す。様々な他の信号構造が使用されることもでき、これは本発明の範囲内である。明確にするために、ページング技術は、図２に示される信号構造に関して下記で説明される。
【００２１】
端末装置は、任意の所与の時間で複数の状態のうちの１つで動作することができる。状態は、メディアアクセス制御（ＭＡＣ）状態、動作モードなどと意味することもできる。
【００２２】
図３は、端末装置に関する状態図３００の１つの実施形態を示す。この実施形態では、サポートされる状態は、オン状態、ホールド状態、スリープ状態、およびアクセス状態を含む。オン状態およびホールド状態は、アクティブ状態のサブ状態として見なされることがある。オン状態において、端末装置は、ダウンリンク上でデータを受信することおよび／またはアップリンク上でデータを送信することができる。ホールド状態において、端末装置は、ダウンリンク上でデータを受信することができるが、アップリンク上でデータを送信することができない。１つの実施形態では、ホールド状態にある間に、端末装置の特定のパラメータ（例えば、タイミングおよび送信電力）は、端末装置がオン状態に迅速に遷移することができるように制御される。スリープ状態において、端末装置は、バッテリ電源を保存するために多くの時間で電源を切られる。スリープ状態にある間に、端末装置は、例えば、着呼またはある他の理由のためにシステムによってページングされることがある。端末装置は、システムにアクセスするために、例えば、通信を開始するためにまたはページングに応答するためにスリープ状態からアクセス状態に遷移することができる。アクセス状態において、端末装置は、システムにアクセスしようとするためにアクセス手順を実行することができる。概して、状態図は、任意の数の状態を有することができ、その状態は、様々な方法で定義されることがある。
【００２３】
１つの態様において、ＯＦＤＭＡシステム内の端末装置のページングは、ページングを受信すべき端末装置によって高速のページング応答および低消費電力の両方を実現することができる多段階のページング処理を用いて実現される。１つの実施形態において、多段階のページング処理は、下記の構成要素を使用する。
【００２４】
・ページングインジケータ：端末装置がページングされることがあるかどうか、したがって、次のページング間隔内でページングメッセージを受信すべきであるかどうかを示す
・ページングメッセージ：ページングされている特定の端末装置を識別し、基本情報、例えば、識別情報およびページング形式を搬送する
・ページング肯定応答：ページングメッセージの受信に肯定応答し、該当する場合には、システムのアクセスを開始するように務める
・シングナリング／トラヒック：該当する場合には、さらなるページング情報を伝達するために使用される
概して、多段階のページング処理は、端末装置のページングを容易にするために任意の数の構成要素および任意の組合せの構成要素を使用することができる。さらに、各構成要素は、上述の機能と異なる機能を受け持つことができる。明確にするために、ページング技術は、上記で与えられた構成要素に関して説明される。また、明確にするために、下記の説明の多くは、１つの端末装置の観点からのページング向けである。
【００２５】
図４は、スリープ状態にある端末装置に関するページング動作４００の１つの実施形態を示す。端末装置は、ダウンリンクブロードキャストフラッシュページングチャネル（ＤＬ．ＢＣＨ．ＦＰＧ）上で基地局によって送信されたページングインジケータを受信する。ページングインジケータは、端末装置がページングされることがあるかどうかを端末装置が迅速に決定することができるような方法で送信される。ページングインジケータが、端末装置がページングされないことを示す場合、このとき、端末装置は、ページングインジケータを受信した後にスリープに戻ることができる。そうでない場合、端末装置は、ダウンリンクページングチャネル（ＤＬ．ＰＣＨ）上で少なくとも１つのページングメッセージを受信する。１つの実施形態において、各ページングメッセージは、基本情報、例えば、識別情報およびページングメッセージ形式／種類などを搬送する。端末装置は、ページングメッセージのいずれも端末装置用でない場合にスリープに戻ることができる。しかし、ページングメッセージが端末装置用である場合、このとき、端末装置は、アップリンクアクセスチャネルのページング肯定応答セグメント（ＵＬ．ＡＣＨ．ＰＡ）上でページング肯定応答を送信する。ページング肯定応答は、ページングメッセージの受信に肯定応答するように、ならびに端末装置がスリープ状態にあるのでシステムのアクセスを開始するように務める。その後、端末装置は、該当する場合には、さらなるページング情報を得るためにおよび／またはページングメッセージによって示される動作を行うために基地局とシングナリングを交換することができる。
【００２６】
ページングインジケータ、ページングメッセージ、およびページング肯定応答は、様々な方法で送信されることがある。明確にするために、ページングインジケータ、ページングメッセージ、およびページング肯定応答に関する特定の形式および伝送方式は、上述の例示のＯＦＤＭＡシステムおよび図２に示される信号構造に関して下記で説明される。
【００２７】
概して、ページングインジケータは、任意の種類の情報に対して任意の数のビットを備えることができる。１つの実施形態において、ページングインジケータは、Ｎ個のインジケータビットおよびＬ個の拡張ビットを備え、ここで、概して、Ｎ≧１およびＬ≧０である。Ｎ個のインジケータビットは、端末装置のＮ個のグループ用であり、１つのインジケータビットは、端末装置の各グループ用である。インジケータビットは、マスクビットまたはある他の専門用語と意味することもできる。端末装置のグループは、主の監視グループまたはある他の専門用語と意味することもできる。各インジケータビットは、関連する主の監視グループ内の任意の端末装置が次のページング間隔内でページングされているかどうかを示す。Ｌ個の拡張ビットは、さらなる情報を伝達するために使用されることがある。１つの実施形態において、Ｎ個のインジケータビットは、Ｎ個のページングチャネルセグメントにさらに関連付けられ、１個のページングチャネルセグメントは、各インジケータビット用である。この実施形態において、インジケータビットと、主の監視グループと、ページングチャネルセグメントとの間に１対１のマッピングがある。各ページングチャネルセグメントは、関連する主の監視グループまたは場合によっては他の主の監視グループ内の端末装置用のページングメッセージを搬送することができる。
【００２８】
図５は、１つのビーコンスロット内のＤＬ．ＢＣＨ．ＦＰＧおよびＤＬ．ＰＣＨに関する伝送方式５００の１つの実施形態を示す。この実施形態において、Ｎ＝８であり、８個のインジケータビット０〜７をそれぞれ８個の主の監視グループ０から７用に送信される。ＤＬ．ＢＣＨ．ＦＰＧは、ＤＬ．ＢＣＨ．ＦＰＧ  Ｓｅｇ［０］およびＤＬ．ＢＣＨ．ＦＰＧ  Ｓｅｇ［１］として示されている２個のセグメント内で送信される。各ＤＬ．ＢＣＨ．ＦＰＧセグメントは、４個のインジケータビットを４個の主の監視グループ用に搬送する。ＤＬ．ＰＣＨは、ＤＬ．ＰＣＨ  Ｓｅｇ［０］からＤＬ．ＰＣＨ  Ｓｅｇ［７］として示される８個のセグメント内で送信される。各ＤＬ．ＰＣＨセグメントは、端末装置用のページングメッセージを搬送することができる。２個のＤＬ．ＢＣＨ．ＦＰＧセグメントおよび８個のＤＬ．ＰＣＨセグメントは、図５に示される順序で送信されることがある。図５において、各セグメントの継続期間は、一定の縮尺で描かれていない。
【００２９】
１つの実施形態において、ＤＬ．ＰＣＨ  Ｓｅｇ［０］、ＤＬ．ＰＣＨ  Ｓｅｇ［１］〜ＤＬ．ＰＣＨ  Ｓｅｇ［７］は、それぞれ所与のビーコンスロットのスーパースロット０、１〜７内に配置される。さらに、ＤＬ．ＢＣＨ．ＦＰＧ  Ｓｅｇ［０］は、ＤＬ．ＰＣＨ  Ｓｅｇ［３］と同一のスーパースロット内に配置され、ＤＬ．ＢＣＨ．ＦＰＧ  Ｓｅｇ［１］は、ＤＬ．ＰＣＨ  Ｓｅｇ［７］と同一のスーパースロット内に配置される。
【００３０】
表１は、２つのＤＬ．ＢＣＨ．ＦＰＧセグメントの形式の１つの実施形態を示す。この実施形態において、各ＤＬ．ＢＣＨ．ＦＰＧセグメントは、４個のインジケータビットおよび１個の拡張ビットを搬送する。ＤＬ．ＢＣＨ．ＦＰＧ  Ｓｅｇ［０］は、主の監視グループ３、４、５および６用のインジケータビットを搬送する。ＤＬ．ＢＣＨ．ＦＰＧ  Ｓｅｇ［１］は、主の監視グループ０、１、２および７用のインジケータビットを搬送する。各ＤＬ．ＢＣＨ．ＦＰＧセグメントの４個のインジケータビットは、マスク［０］からマスク［３］とも呼ばれる。
【表１】
2009544244.tif 000003
【００３１】
図５に示されるように、各ＤＬ．ＢＣＨ．ＦＰＧセグメントは、４個の関連するＤＬ．ＰＣＨセグメントを有するとともに、第ｋの関連するＤＬ．ＰＣＨセグメントが次のＤＬ．ＢＣＨ．ＦＰＧセグメントにｋ個のスーパースロットを送信される、ｋ＝０、１、２、３。ＤＬ．ＢＣＨ．ＦＰＧ  Ｓｅｇ［０］において、ＤＬ．ＰＣＨ  Ｓｅｇ［３］からＤＬ．ＰＣＨ  Ｓｅｇ［６］は、それぞれ第０から第３の関連するＤＬ．ＰＣＨセグメントであり、そして、ＤＬ．ＢＣＨ．ＦＰＧ  Ｓｅｇ［０］の次の０から３個のスーパースロットを送信される。ＤＬ．ＢＣＨ．ＦＰＧ  Ｓｅｇ［１］において、ＤＬ．ＰＣＨ  Ｓｅｇ［７］およびＤＬ．ＰＣＨ  Ｓｅｇ［０］からＤＬ．ＰＣＨ  Ｓｅｇ［２］は、それぞれ第０から第３の関連するＤＬ．ＰＣＨセグメントであり、ＤＬ．ＢＣＨ．ＦＰＧ  Ｓｅｇ［１］の次の０から３個のスーパースロットを送信される。図５に示される実施形態において、ＤＬ．ＢＣＨ．ＦＰＧ  Ｓｅｇ［０］およびその４個の関連するＤＬ．ＰＣＨセグメントは、同一のビーコンスロット内で送信されるが、ＤＬ．ＢＣＨ．ＦＰＧ  Ｓｅｇ［１］およびその４個の関連するＤＬ．ＰＣＨセグメントは、２つの連続したビーコンスロット内で送信される。
【００３２】
１つの実施形態において、端末装置は、ページングサイクル（ｗｔＰａｇｉｎｇＣｙｃｌｅ）およびページング位相（ｗｔＰａｇｉｎｇＰｈａｓｅ）を割り当てられる。ページングサイクルは、端末装置がＤＬ．ＢＣＨ．ＦＰＧを何回受信するかを決定し、１から１４４個のビーコンスロットの値域を定める。ｗｔＰａｇｉｎｇＣｙｃｌｅは、１４４の倍数であることが好ましい。ページング位相は、端末装置の「関連する」ＤＬ．ＢＣＨ．ＦＰＧセグメントおよびＤＬ．ＰＣＨセグメントを決定し、０から１１５１の値域を定める。関連するＤＬ．ＰＣＨセグメントは、端末装置がシステムからページングメッセージを受信することができるＤＬ．ＰＣＨセグメントであり、下記のように決定されることがある。まず、下記のように、ｊ＝０〜（１４４／ｗｔＰａｇｉｎｇＣｙｃｌｅ−１）において、３つの数Ｘ１、Ｘ２およびＸ３が計算される。
【数１】
2009544244.tif 000004
【００３３】
ここで、ｍｏｄは、モジューロ演算を示す。
【００３４】
端末装置の関連するＤＬ．ＰＣＨセグメントは、インデックスＸ３を有するウルトラスロット、インデックスＸ２を有するビーコンスロット、およびインデックスＸ１を有するスーパースロット内で送信されるＤＬ．ＰＣＨセグメントである。端末装置は、任意の所与のビーコンスロット内に多くても１つの関連するＤＬ．ＰＣＨセグメントおよびあらゆるｗｔＰａｇｉｎｇＣｙｃｌｅビーコンスロット内に１個の関連するＤＬ．ＰＣＨセグメントを有する。式セット（１）は、端末装置の関連するＤＬ．ＰＣＨセグメントを決定するための例示の方式を示す。関連するＤＬ．ＰＣＨセグメントは、他の方法で決定されるおよび／または例えば、端末装置の識別子、疑似乱数などの他の入力に基づくこともできる。
【００３５】
ページングサイクルおよびページング位相は、端末装置がページングメッセージを受信することができる関連するＤＬ．ＰＣＨセグメントを決定する。端末装置の関連するＤＬ．ＢＣＨ．ＦＰＧセグメントは、関連するＤＬ．ＰＣＨセグメントが関連付けられるＤＬ．ＢＣＨ．ＦＰＧセグメントである。端末装置用のページングインジケータは、関連するＤＬ．ＢＣＨ．ＦＰＧセグメント内で送信される。複数の端末装置は、所与のビーコンスロット内で同一の関連するＤＬ．ＰＣＨセグメントを共用することができる。同一の関連するＤＬ．ＰＣＨセグメントを有する端末装置のセットは、そのＤＬ．ＰＣＨセグメントの主の監視グループと呼ばれる。
【００３６】
１つの実施形態において、各ＤＬ．ＰＣＨセグメントは、１つの端末装置用の多くても１つのページングメッセージを搬送する。主の監視グループ内の複数の端末装置がページングされることがある。この場合、その主の監視グループに関するＤＬ．ＢＣＨ．ＦＰＧセグメントの拡張ビットは「１」に設定されることがあり、これらの複数の端末装置用のページングメッセージは、そのグループに関するＤＬ．ＰＣＨセグメントならびに端末装置がページングされない他のグループに関するＤＬ．ＰＣＨセグメント内で送信されることがある。したがって、ＤＬ．ＢＣＨ．ＦＰＧセグメント内の拡張ビットは、ページングされている端末装置用のページングメッセージがそれらの関連するＤＬ．ＰＣＨセグメントだけで送信されたか、それとも他の関連するＤＬ．ＰＣＨセグメントでも送信されたかを示す。拡張ビットは、必要なときにはいつでも主の監視グループの間のＤＬ．ＰＣＨセグメントの共用をサポートし、ＤＬ．ＰＣＨのために割り当てられた無線リソースのよりよい使用を可能にする。拡張ビットは、同一グループ内の複数の端末装置がページングされるべきであるシナリオ内でページング潜時を低減することもできる。
【００３７】
図５は、端末装置をページングするためのＤＬ．ＢＣＨ．ＦＰＧおよびＤＬ．ＰＣＨの使用の２つの例も示す。ビーコンスロット０において、ＤＬ．ＢＣＨ．ＦＰＧ  Ｓｅｇ［１］は、「０」に設定されるマスク[０]、「１」に設定されるマスク［１］、「０」に設定されるマスク［２］、「１」に設定されるマスク［３］、「０」に設定される拡張ビットを備えている。このＤＬ．ＢＣＨ．ＦＰＧセグメントは、第１の関連するＤＬ．ＰＣＨセグメントの主の監視グループ内の１つの端末装置がページングされていること、第３の関連するＤＬ．ＰＣＨセグメントの主の監視グループ内の１つの端末装置もページングされていることを示す。これらの２つのグループのそれぞれの中の端末装置は、次いで、それらの関連するＤＬ．ＰＣＨセグメントを受信するであろう。第０および第２の関連するＤＬ．ＰＣＨセグメントの主の監視グループ内の端末装置は、それらの関連するＤＬ．ＰＣＨセグメントを受信することなくスリープに戻ることができる。
【００３８】
ビーコンスロット１において、ＤＬ．ＢＣＨ．ＦＰＧ  Ｓｅｇ［０］は、「１」に設定されるマスク［０］、「０」に設定されるマスク［１］、「０」に設定されるマスク［２］、「０」に設定されるマスク［３］、「１」に設定される拡張ビットを備えている。このＤＬ．ＢＣＨ．ＦＰＧセグメントは、第０の関連するＤＬ．ＰＣＨセグメントの主の監視グループ内の複数の端末装置がページングされていることを示す。これらの端末装置用のページングメッセージは、４個の関連するＤＬ．ＰＣＨセグメントのうちのいずれか１つ内で送信されることがある。このグループ内の端末装置は、次いで、４個の関連するＤＬ．ＰＣＨセグメントのすべてを受信することができる。他の３個の主の監視グループ内の端末装置は、それらの関連するＤＬ．ＰＣＨセグメントを受信することなくスリープに戻ることができる。
【００３９】
図６は、図５および表１で上述されたＤＬ．ＢＣＨ．ＦＰＧおよびＤＬ．ＰＣＨに関するページングインジケータおよびページングメッセージを受信するために端末装置によって実行される処理６００の１つの実施形態を示す。端末装置は、スリープ状態にある間に、処理６００を実行することができる。
【００４０】
スリープ状態に遷移すると、端末装置は、例えば、式セット（１）に関して上述されたように、次の関連するＤＬ．ＰＣＨセグメントおよび次の関連するＤＬ．ＢＣＨ．ＦＰＧセグメントを決定する（ブロック６１２）。端末装置は、次いで、次の関連するＤＬ．ＢＣＨ．ＦＰＧセグメントの前に終了するタイマを設定し、スリープに入る（ブロック６１４）。端末装置は、タイマが終了するとき、次の関連するＤＬ．ＢＣＨ．ＦＰＧセグメントの前に目覚める（ブロック６１６）。
【００４１】
端末装置は、関連するＤＬ．ＢＣＨ．ＦＰＧセグメントを受信し、関連するＤＬ．ＰＣＨセグメントに関するインジケータビットをチェックする（ブロック６１８）。このインジケータビットは、関連するＤＬ．ＰＣＨセグメントがこのＤＬ．ＢＣＨ．ＦＰＧセグメントの第ｋの関連するＤＬ．ＰＣＨセグメントである場合に、関連するＤＬ．ＢＣＨ．ＦＰＧセグメントのマスク［ｋ］である。端末装置は、次いで、インジケータビットが「１」に設定されているかどうかを決定する（ブロック６２０）。インジケータビットが「０」に設定されており、答えがブロック６２０に関して「いいえ」である場合、このとき、この端末装置が属する主の監視グループ内の端末装置は、ページングされていない。端末装置は、次いで、ブロック６１２に戻り、次の関連するＤＬ．ＢＣＨ．ＦＰＧセグメントまでスリープする。そうでない場合、インジケータビットが「１」に設定されており、主の監視グループ内の少なくとも１つの端末装置がページングされている場合、このとき、端末装置は、関連するＤＬ．ＢＣＨ．ＦＰＧセグメントの拡張ビットをチェックする（ブロック６２２）。
【００４２】
端末装置は、次いで、拡張ビットが「１」に設定されているかどうかを決定する（ブロック６２４）。インジケータビットが「１」に設定されており、拡張ビットが「０」に設定されている場合、このとき、主の監視グループ内の多くても１つの端末装置がページングされている。端末装置は、次いで、関連するＤＬ．ＰＣＨセグメントだけを受信し、このＤＬ．ＰＣＨセグメント内で送信されたページングメッセージを得ることができる（ブロック６２６）。そうでない場合、拡張ビットが「１」に設定されている場合、このとき、主の監視グループ内の複数の端末装置がページングされており、複数のページングメッセージが様々なＤＬ．ＰＣＨセグメント内でこれらの端末装置用に送信されている。端末装置は、次いで、各関連付けられたＤＬ．ＰＣＨセグメントを受信し、そのＤＬ．ＰＣＨセグメント内で送信されたページングメッセージを得る（ブロック６２８）。端末装置は、端末装置用のページングメッセージを得るとＤＬ．ＰＣＨセグメントを受信するのを停止することができる。
【００４３】
端末装置は、ブロック６２６または６２８で得られた任意のページングメッセージが端末装置用であるかどうかを決定する（ブロック６３０）。ページングメッセージが端末装置用でない場合、このとき、端末装置は、ブロック６１２に戻り、そして、次の関連するＤＬ．ＢＣＨ．ＦＰＧセグメントまでスリープする。そうでない場合、端末装置がページングメッセージを受信する場合、このとき、端末装置は、対応するＵＬ．ＡＣＨ．ＰＡセグメント上でページング肯定応答を送信する（ブロック６３２）。端末装置は、次いで、ページングメッセージによって示される動作、例えば、システムにアクセスする、スリープに戻るなどを実行する、（ブロック６３４）。
【００４４】
表２は、ページングメッセージの形式の１つの実施形態を示す。この実施形態において、ページングメッセージは、ページングＩＤおよびページング形式に関する２つのフィールド／パラメータを含む。ページングＩＤフィールドは、ページングされている端末装置を識別する識別情報、すなわち、ページングメッセージの所期の受信者を搬送する。ページング形式フィールドは、ページングされた端末装置によって実行されるべき動作を伝達する。
【表２】
2009544244.tif 000005
【００４５】
１つの実施形態において、ページングＩＤ値は、下記のように決定されることがある。
【数２】
2009544244.tif 000006
【００４６】
ここで、Ｆｏｒｍａｔは、ページング形式フィールドの値であり、
ＵｓｅｒＩｄは、ページングされている端末装置のｗｔＳｌｅｅｐＩＤであり、
ＰＧＩＤは、ページングＩＤフィールドの値であり、そして、
【数３】
2009544244.tif 000007
【００４７】
は、排他的ＯＲ（ＸＯＲ）演算を示す。
【００４８】
ｗｔＳｌｅｅｐＩＤは、端末装置をページングするために使用される識別子である。様々な端末装置は、様々なｗｔＳｌｅｅｐＩＤを割り当られ、そして、そのゆえ、個別にページングされることがある。式セット（２）において、ページング形式値は、Ｉｎｐｕｔを生成するために４回繰り返される。端末装置のｗｔＳｌｅｅｐＩＤは、次いで、ＰＧＩＤを生成するためにＩｎｐｕｔとＸＯＲされる。繰返しおよびＸＯＲ演算は、ページング形式にコーディング保護を提供する。１つの実施形態において、ＵｓｅｒＩｄは、端末装置が接続されるときにシステムによって動的に割り当てられることがあり、そして、１つの接続から他の接続に変わることができる。他の実施形態において、ＵｓｅｒＩｄは、静的であり、１つの接続から他の接続に変わらない。
【００４９】
式セット（２）は、ページングＩＤフィールドの値を決定するための例示の方式を示す。ページングＩＤ値は、他の方法で決定されることもできる。例えば、ページングＩＤは、単に、ページングされている端末装置のｗｔＳｌｅｅｐＩＤと等しく設定されることがある。概して、ページングＩＤフィールドは、ページングメッセージがその端末装置用であるかどうかを端末装置が決定することができる十分な情報を含む。この情報は、ｗｔＳｌｅｅｐＩＤ、ページングＩＤ、またはある他の種類のＩＤであってよい。
【００５０】
表２は、ページングメッセージに関する特定の形式を示す。このページングメッセージ形式は、識別情報および命令に関する２つのフィールドを含む。概して、ページングメッセージは、任意の数のフィールドおよび任意の種類のフィールドを含むことができる。例えば、ページングメッセージは、ページングされている端末装置の識別子だけを含むことがある。他の例として、ページングメッセージは、ページングに関する理由、例えば、着呼、着信メッセージ、イベントに関する警告などを示すフィールドを含むことができる。ユーザは、次いで、ページングメッセージによって提供される理由に基づいてページングに応答するまたはページングを無視することを選ぶことができる。
【００５１】
ＤＬ．ＢＣＨ．ＦＰＧ、ＤＬ．ＰＣＨおよびＵＬ．ＡＣＨ．ＰＡは、様々な伝送方式、符号化方式および変調方式などを使用する様々な方法で送信されることがある。ＤＬ．ＢＣＨ．ＦＰＧ、ＤＬ．ＰＣＨおよびＵＬ．ＡＣＨ．ＰＡの送信の特定の実施形態は、下記で説明される。
【００５２】
ＤＬ．ＢＣＨ．ＦＰＧは、端末装置がページングインジケータを迅速に受信し、そして、次いで、省電力を最大限にするためにできるだけ高速にスリープに戻ることができるような方法で送信されることがある。ＤＬ．ＢＣＨ．ＦＰＧがセル内のすべての端末装置に送信されるので、堅牢な符号化および変調方式は、最悪の場合のチャネル条件を有する不利な端末装置さえページングインジケータを確実に受信することができるようにページングインジケータに関して使用されることがある。明確にするために、ＤＬ．ＢＣＨ．ＦＰＧの送信の特定の実施形態は、下記で説明される。
【００５３】
１つの実施形態において、ページングインジケータは、端末装置が非コヒーレント検波を使用してページングインジケータを迅速に効率的に受信するようにさせる非コヒーレント変調方式を使用して基地局によって処理される。非コヒーレント検波は、データまたはシグナリングが送信された通信チャネルのチャネル推定を使用することなく受信したデータまたはシグナリングの検出を意味する。非コヒーレント検波は、端末装置が典型的にある期間を必要とするチャネル推定を得る必要がなくページングインジケータを搬送するＯＦＤＭシンボルを単に受信し処理することができるので、ページングインジケータを受信するのに必要とされる期間を大幅に低減することができる。端末装置は、さらなるＯＦＤＭシンボル、例えば、ページングインジケータを実際に搬送するＯＦＤＭシンボルに先立つＯＦＤＭシンボルを受信する必要がない。
【００５４】
様々な非コヒーレント変調方式は、ページングインジケータのために使用されることがある。明確にするために、特定の非コヒーレント変調方式は、表１に示されるページングインジケータの実施形態に関して下記で説明される。この非コヒーレント変調方式において、ＤＬ．ＢＣＨ．ＦＰＧセグメントの５つのビットは、下記のように行ベクトルｕ内で示されることがある。
【数４】
2009544244.tif 000008
【００５５】
ここで、ｕ０からｕ３は、マスク［０］からマスク［３］に対応し、そして、ｕ４は、ＤＬ．ＢＣＨ．ＦＰＧセグメントの拡張ビットに対応する。
【００５６】
７×３の行列ｕ２１は、下記のようにベクトルｕ内の５つのビットに基づいて定義されることがある。
【数５】
2009544244.tif 000009
【００５７】
３×８の生成行列Ｇ３，８は、下記のように定義されることがある。
【数６】
2009544244.tif 000010
【００５８】
次いで、ページングインジケータに関するコードビットは、下記のように生成されることがある。
【数７】
2009544244.tif 000011
【００５９】
ここで、Ｐ７，８は７つの行内に７つの８ビット符号語を含む７×８の行列である。Ｐ７，８内の各符号語は、行列ｕ２１の１つの行および行列Ｇ３，８のすべての８つの列に基づいて生成される。５６ビットの符号語は、次いで、５６ビット符号語の８つの最上位ビット（ＭＳＢ）がＰ７，８の第１の行からもたらされ、次の８つのＭＳＢがＰ７，８の第２の行からもたらされるなどが行なわれて、行列Ｐ７，８内の７つの８ビット符号語を連結することによって形成される。５６ビット符号語内の５６個のコードビットは、ＢＰＳＫを使用して５６個の変調シンボルにマッピングされる。
【００６０】
１つの実施形態において、ＤＬ．ＢＣＨ．ＦＰＧセグメントのページングインジケータに関する５６個の変調シンボルは、１つのＯＦＤＭシンボル内の５６個のトーン上で送信される。ＯＦＤＭシンボルは、上述のように生成されることがある。５６個のトーンの様々な組は、周波数ダイバーシティを実現するために様々なスーパースロット内のＤＬ．ＢＣＨ．ＦＰＧのために使用されることがある。所与のスーパースロット内のＤＬ．ＢＣＨ．ＦＰＧのために使用する特定の組のトーンは、マッピング方式に基づいて決定されることがある。１つの実施形態において、ＤＬ．ＢＣＨ．ＦＰＧ  Ｓｅｇ［０］に関するＯＦＤＭシンボルは、スーパースロット３に関するヘッダのシンボル周期０内で送信され、そして、ＤＬ．ＢＣＨ．ＦＰＧ  Ｓｅｇ［１］に関するＯＦＤＭシンボルは、スーパースロット７に関するヘッダのシンボル周期０内で送信される。
【００６１】
端末装置は、関連するＤＬ．ＢＣＨ．ＦＰＧセグメントの前に目覚め、受話器および他の回路をウォームアップし、ページングインジケータを搬送するＯＦＤＭシンボルに関する受信した信号をディジタル化することができる。端末装置は、次いで、周波数領域シンボルを得るためにＯＦＤＭシンボルのサンプルに高速フーリエ変換（ＦＦＴ）を実行することができ、そして、検出されたページングインジケータを得るために周波数領域シンボルに非コヒーレント検波を実行することができる。非コヒーレント検波において、端末装置は、ページングインジケータを搬送するＯＦＤＭシンボル内の周波数領域シンボルだけを使用し、そして、いかなる以前のＯＦＤＭシンボルを使用する必要がない。受信した周波数領域シンボルから、端末装置は、送信された符号語に対応する５６個の変調シンボルを取り込む。端末装置は、例えば、Ｇ３，８行列に対して最大公算アルゴリズムを使用して第１の８つの変調シンボルから、式（４）のｕ０、ｕ２、ｕ４であるｕ２１の第１の行内の３ビットを復号することができる。端末装置は、残りの変調シンボルを使用してｕ２１の残りの行のそれぞれの中のビットを復号することができる。
【００６２】
存続期間が約０．１ミリ秒（ｍｓ）でありうる１つのＯＦＤＭシンボル内のＤＬ．ＢＣＨ．ＦＰＧセグメントの伝送は、端末装置が対象となるデータを迅速に捕捉するようにさせる。ページングインジケータに関する非コヒーレント変調の使用は、端末装置がチャネル推定を得る必要がなく対象となるデータを迅速に処理するようにさせる。それゆえ、端末装置は、ＤＬ．ＢＣＨ．ＦＰＧセグメントを迅速に効率的に受信し、端末装置がスリープに戻るあるいは１つまたは複数の関連するＤＬ．ＰＣＨセグメントを受信するように処理することができるかどうかを判断することができる。
【００６３】
ＤＬ．ＰＣＨは、端末装置がページングメッセージを確実に受信することができるような様々な方法で送信されることがある。ページングメッセージは、ブロック符号、畳込み符号、誤り検出符号、ある種の他の符号、またはその組合せを含むことができる様々な符号化方式を使用して符号化されることがある。ページングメッセージは、様々な方法でトーンおよびシンボル周期にマッピングされることもできる。明確にするために、ＤＬ．ＰＣＨの送信の特定の実施形態は、下記で説明される。
【００６４】
１つの実施形態において、表２に示される２０ビットのページングメッセージは、１１２個のコードビットを生成するためにブロック符号の１種である低密度パリティ検査（ＬＤＰＣ）符号を用いて符号化される。ＬＤＰＣ符号は、当技術分野で知られる方法で選択されることがある。ＬＤＰＣ符号は、所定の入力ビット数（例えば、３２ビット）を受け入れることができ、所定の出力ビット数（例えば、１７６ビット）を生成することができる。この場合、ページングメッセージの２０ビットは、必要な入力ビット数を得るために十分な数のゼロを用いて埋められることがあり、そして、十分な出力ビット数（例えば、６４個の最下位ビット）が所望のコードビット数を得るためにパンクチャードまたは削除されることがある。
【００６５】
ページングメッセージに関する１１２個のコードビットは、ＱＰＳＫを使用して５６個の変調シンボルにマッピングされる。１つの実施形態において、５６個の変調シンボルは、１つの半スロットの７つのシンボル周期内の８つのトーン上で送信される。各ビーコンスロットは、インデックス０から１２７を有する１２８個の半スロットを含む。各ＤＬ．ＰＣＨセグメントは、そのＤＬ．ＰＣＨセグメントが送信されるスーパースロット内の１つの半スロット内で送信されることがある。１つの実施形態において、ＤＬ．ＰＣＨ  Ｓｅｇ［ｓ］は、半スロット１６×ｓ＋１３内で送信される、ここで、ｓは、ＤＬ．ＰＣセグメントのインデックスであり、ｓ＝０〜７である。したがって、各ＤＬ．ＰＣＨセグメントは、既知の半スロット内の指定された組のトーン上で送信される。ページングメッセージは、時間および周波数ダイバーシティを実現するために半スロットを介して送信される。
【００６６】
ＵＬ．ＡＣＨ．ＰＡは、基地局が該当する場合には、ページング肯定応答を送信する端末装置のタイミングを推定するために、ページング肯定応答を確実に検出することができるような様々な方法で送信されることがある。１つの実施形態において、各ＤＬ．ＰＣＨセグメントは、特定の端末装置用の多くても１つのページングメッセージを搬送し、対応するＵＬ．ＡＣＨ．ＰＡセグメントを有する。この実施形態において、ページングされた端末装置だけは、対応するＵＬ．ＡＣＨ．ＰＡセグメント上でページング肯定応答を送信するであろう。したがって、ＵＬ．ＡＣＨ．ＰＡセグメントに関する競合はない。具体的には、システムにアクセスすることを望む新しい端末装置は、ランダムアクセスのためにＵＬ．ＡＣＨ．ＰＡセグメントを使用することを許されない。有利なことに、ページングされた端末装置は、小さい（最小の）遅延を伴ってシステムにアクセスすることができる。さらに、ページングメッセージから肯定応答までの遅延は、決定論的であり、そして基地局は、ページングメッセージが首尾よく配信されているかどうかを把握することができる。肯定応答が受信されない場合、このとき、基地局は、ページングメッセージを再送信すべきかどうかを決定することができる。したがって、ページングに関する再伝送潜時は、小さい。
【００６７】
比較すると、従来技術のシステムにおいて、ページングメッセージに関連した専用の肯定応答は、ない。ページングメッセージが送信された後に、基地局は、通常、タイマを設定し、そして、ページングされた端末装置がシステムにアクセスするのを待つ。アクセスがランダムアクセスであるので、タイマは、通常大きい。タイマが終了すると、基地局は、ページングメッセージを再送信することができる。タイマが大きいので、再伝送潜時は、著しい可能性がある。
【００６８】
対照的に、本明細書で説明されるページング技術の場合、基地局がページングメッセージを送信した後に、基地局は、肯定応答のための対応するＵＬ．ＡＣＨ．ＰＡセグメントを受信する。基地局が肯定応答を受信しない場合、基地局は、ページングメッセージが消失されたと考えることができ、そして、次のページング周期内でページングメッセージを再送信することができる。
【００６９】
基地局は、対応するＵＬ．ＡＣＨ．ＰＡセグメント上で送信する端末装置の識別情報を先験的に知っている。したがって、ページング肯定応答は、送信する端末装置に特定している任意の情報を搬送する必要がなく、そして、例えば、タイミング推定などの他の機能をサポートするように設計されることがある。明確にするために、ＵＬ．ＡＣＨ．ＰＡの送信の特定の実施形態は、下記で説明される。
【００７０】
１つの実施形態において、ページング肯定応答は、４つのシンボル周期内の８つのトーン上の２つの波形を用いて送信される。第１の波形は、第１の２つのシンボル周期内の第１の組の８つのトーンのために生成される。第２の波形は、最後の２つのシンボル周期内の第２の組の８つのトーンのために生成される。様々な組のトーンは、周波数ダイバーシティを実現するために２つの波形用に使用されることがある。例えば、ＯＦＤＭＡシステム内の１１３個の使用可能なトーンの中で、第１の組はトーン４８から５５までを含むことができ、第２の組はトーン１０４から１１１までを含むことができる。
【００７１】
図７は、ページング肯定応答に関する２つの波形の１つの実施形態を示す。各波形は、拡張ＯＦＤＭシンボルが続く主のＯＦＤＭシンボルから構成される。主のＯＦＤＭシンボルは、（１）波形のために使用される８つのトーン上に８つの変調シンボル（例えば、（１，１）のＱＰＳＫシンボル）をマッピングすること、（２）残りのトーン上にゼロシンボルをマッピングすること、（３）１２８個の時間領域サンプルを有するＦＦＴ主要部を得るために変調シンボルおよびゼロシンボルに１２８点のＩＦＦＴを実行すること、および（４）ＦＦＴ主要部の開始点にＦＦＴ主要部の最後の１６個のサンプルをコピーすることによってサイクリックプレフィックス（ＣＰ）を付加することによって生成されることがある。拡張ＯＦＤＭシンボルは、（１）主のＯＦＤＭシンボルのＦＦＴ主要部をコピーすること、および（２）ＦＦＴ主要部の最後にＦＦＴ主要部の第１の１６個のサンプルをコピーすることによってサイクリックポストフィックス（ＣＦ）を付加することによって生成されることがある。第１および第２の波形は、様々な組のトーンがこれらの波形のために使用される場合に、様々なＦＦＴ主要部を有する。１つの実施形態において、ページング肯定応答に関する第１の波形は、シンボル周期０および１内のアップリンク上で送信され、第２の波形は、ページングメッセージが受信されたダウンリンクスーパースロットの後のアップリンクスーパースロット内のＵＬ．ＡＣＨのシンボル周期２および３内で送信される。ＵＬ．ＡＣＨのシンボル周期４、５、６および７は未使用のままである。
【００７２】
図７に示される波形は、システムとタイミング同期されない端末装置に対応するように設計される。具体的には、端末装置がまだタイミング同期されないので、端末装置とシステムとの間で往復遅延のあいまい性がある。未使用のシンボル周期４から７は、往復遅延のあいまい性を緩和するためのガード時間として機能する。さらに、主のＯＦＤＭシンボルおよび拡張ＯＦＤＭシンボルは、２つのＯＦＤＭシンボル周期にわたる位相の連続性を維持し、したがって基地局での受話器の信号処理を簡略化する。
【００７３】
図７は、ページング肯定応答に関する特定の波形を示す。これらの波形は、基地局がタイミング、チャネル利得、および／または波形を送信する端末装置の他の特性を推定することを可能にする。基地局は、端末装置のタイミングを調整するためにタイミング制御メッセージを送信することができる。基地局は、端末装置の送信電力を調整するために電力制御メッセージを送信することもできる。タイミング制御メッセージおよび／または電力制御メッセージは、端末装置がシステムのアクティブ状態に入ることを許されていることを示すためにアクセス許可メッセージとして送信されることがある。端末装置がアクティブ状態にあった後に、端末装置は、例えば、トラヒックチャネルおよび／または制御チャネルを用いてさらなるページング情報を受信することができる。
【００７４】
他の波形は、ページング肯定応答のために使用されることもある。他の実施形態において、４つのＯＦＤＭシンボルから構成される単一の波形は、４つのシンボル周期内で送信される。概して、任意の数の波形は、任意の数の組のトーンのために生成されることがあり、任意の数のシンボル周期内で送信されることがある。
【００７５】
図８Ａは、上述の実施形態によるＤＬ．ＢＣＨ．ＦＰＧおよびＤＬ．ＰＣＨの伝送を示す。図８Ａでは、水平軸が時間またはシンボル周期を表し、垂直軸が周波数またはトーンを表す。ＤＬ．ＢＣＨ．ＦＰＧは、各ビーコンスロットのスーパースロット３および７内で送信される。ＤＬ．ＢＣＨ．ＦＰＧ  Ｓｅｇ［０］は、スーパースロット３のシンボル周期０内の１１３個の使用可能なトーン中から取り込まれる５６個のトーン上で送信される。ＤＬ．ＢＣＨ．ＦＰＧ  Ｓｅｇ［１］は、スーパースロット７のシンボル周期０内の５６個のトーン上で送信される。ＤＬ．ＰＣＨは、各ビーコンスロットの８つのスーパースロットのすべての中で送信される。ＤＬ．ＰＣＨ  Ｓｅｇ［ｓ］は、ｓ＝０〜７に対して、スーパースロットｓの第１３の半スロット内の７つのシンボル周期からなる８つのトーンのブロック上で送信される。この時間対周波数ブロックは、複数の長方形（図８Ａに図示されず）に分割されることがある。
【００７６】
図８Ｂは、上述の実施形態に関する１つのスーパースロット内のＤＬ．ＢＣＨ．ＦＰＧ、ＤＬ．ＰＣＨおよびＵＬ．ＡＣＨ．ＰＡの伝送を示す。ＤＬ．ＢＣＨ．ＦＰＧセグメントは、スーパースロットの開始点で、１つのシンボルからなる５６個のトーンのブロック内で送信される。ＤＬ．ＰＣＨセグメントは、スロット６の第２の半スロット内の７つのシンボルからなる８つのトーンのブロック内で送信される。ＵＬ．ＡＣＨ．ＰＡセグメントは、次のアップリンクのスーパースロットの第１の４つのシンボル周期内の２つのブロック内、それぞれの８トーンが２つのシンボルから成る、で送信される。
【００７７】
ＤＬ．ＢＣＨ．ＦＰＧ、ＤＬ．ＰＣＨおよびＵＬ．ＡＣＨ．ＰＡの特定の実施形態は、上述に記載されている。これらのチャネルは、他の方法で送信されることもある。例えば、ＤＬ．ＰＣＨが続く１つのインジケータビットは、４つのＤＬ．ＰＣＨセグメントが続く４つのインジケータビットの代わりに送信されることがある。ＤＬ．ＢＣＨ．ＦＰＧおよびＤＬ．ＰＣＨは、それぞれ表１および表２に示される形式以外の他のフレーム形式を使用することができる。例えば、ＤＬ．ＢＣＨ．ＦＰＧは、主の監視グループに関するインジケータビットだけを搬送することができる。各ページングメッセージは、関連する主の監視グループ内の端末装置が、これらの端末装置用のページングメッセージのために、所定の数（例えば、３）の後続のＤＬ．ＰＣＨセグメントをチェックすべきかどうかを示すための拡張ビットを含むことができる。ページングメッセージは、限定された情報（例えば、表２に示されるように）を含むことができるまたは、異なる情報および／またはさらなる情報（例えば、ページングに関する理由）を含むことができる。ページング肯定応答は、ある情報、例えば、端末装置がページングに応答するまたはスリープに戻る予定であるかどうかを示す単一のビットを含むことができる。
【００７８】
ＤＬ．ＢＣＨ．ＦＰＧ、ＤＬ．ＰＣＨおよびＵＬ．ＡＣＨ．ＰＡは、他の方法で符号化され変調されることもある。例えば、各ＤＬ．ＢＣＨ．ＦＰＧセグメントのビットは、上述のように結合するのではなく独立して符号化され送信されることがある。他の例として、非コヒーレント変調は、端末装置がこのチャネルを迅速に処理することを可能にするＤＬ．ＰＣＨのために使用されることもできる。
【００７９】
ＤＬ．ＢＣＨ．ＦＰＧ、ＤＬ．ＰＣＨおよびＵＬ．ＡＣＨ．ＰＡは、他のトーンおよび／またはシンボル周期上で送信されることもある。例えば、ＤＬ．ＢＣＨ．ＦＰＧセグメントは、時間ダイバーシティを実現するために離間されていてよい複数のシンボル周期内で送信されることがある。ＤＬ．ＰＣＨセグメントは、端末装置がページングメッセージをより迅速に受信し、場合によってはより早くスリープに戻ることを可能にするそれらの関連するＤＬ．ＢＣＨ．ＦＰＧセグメントにより接近して送信されることがある。ＵＬ．ＡＣＨ．ＰＡは、図７に示される波形以外の他の波形を用いて送信されることがある。
【００８０】
概して、ＤＬ．ＢＣＨ．ＦＰＧ、ＤＬ．ＰＣＨおよびＵＬ．ＡＣＨ．ＰＡは、様々な形式、符号化方式および変調方式、波形、周期性、トーン、シンボル周期などを使用して送信されることがある。各チャネルは、所望の機能および目標を実現するための方法で送信されることがある。
【００８１】
ＤＬ．ＢＣＨ．ＦＰＧ、ＤＬ．ＰＣＨおよびＵＬ．ＡＣＨ．ＰＡは、これらの端末装置に対して省電力を最大限にすると同時に端末装置を迅速に効率的にページングするために共に使用されることがある。ページングは、これらのチャネルのサブセットを使用して実行されることもある。例えば、ＤＬ．ＢＣＨ．ＦＰＧおよびＤＬ．ＰＣＨは、ある種の他の機構を介して、例えば、ランダムアクセスによりシステムにアクセスすることによって、ページングに肯定応答することができる端末装置をページングするために使用されることができ、その場合には、留保されたＵＬ．ＡＣＨ．ＰＡセグメントは使用されない。ＤＬ．ＰＣＨおよびＵＬ．ＡＣＨ．ＰＡは、ＤＬ．ＢＣＨ．ＦＰＧなしに使用されることもできる。この場合、端末装置は、ＤＬ．ＢＣＨ．ＦＰＧをチェックすることなくそれらの関連するＤＬ．ＰＣＨセグメントを受信することができる。
【００８２】
本明細書で説明されるページング技術は、他の目的のために使用されることもできる。例えば、マルチキャストおよび／またはブロードキャストインジケータビットは、ページングインジケータと同様の方法で非コヒーレント変調を使用して送信されることがある。これらのマルチキャストおよび／またはブロードキャストインジケータビットは、マルチキャストおよび／またはブロードキャスト情報が次の間隔内で送信されているかどうかを示すことができる。
【００８３】
本明細書で説明されるページング技術は、様々な利点を提供することができる。上述のＤＬ．ＢＣＨ．ＦＰＧおよびＤＬ．ＰＣＨは、端末装置がページングに関して監視するための信号処理要求を低減することができる。ＤＬ．ＢＣＨ．ＦＰＧは、ページングインジケータの１つのＯＦＤＭシンボルを搬送することができ、迅速に受信されることがある。ページングインジケータは、端末装置がＤＬ．ＰＣＨを処理すべきであるまたはスリープに戻ることができるかどうかを示す。ページングは、典型的には、まれに送信されるので、端末装置は、通常、ページングインジケータだけを受信する。ページングメッセージ内の小さいページングインジケータおよび限定された情報を送信は、ＤＬ．ＢＣＨ．ＦＰＧおよびＤＬ．ＰＣＨがより少ない無線リソースを使用して送信することを可能にする。ＤＬ．ＢＣＨ．ＦＰＧおよびＤＬ．ＰＣＨの効率的な動作は、これらのチャネルが全利用可能な無線リソースの小さい割合を使用すると同時に高速なページング応答を実現するために、より煩雑に（例えば、１００ミリ秒未満のビーコンスロットごとに）送信することを可能にする。ページング肯定応答は、基地局が、ページングメッセージが首尾よく配信されているかどうかを、固定の無視できる潜時を用いて決定することを可能にする。これは、ページングの信頼性を向上する助けとなる。
【００８４】
図９は、ページングインジケータを受信するための処理９００の１つの実施形態を示す。端末装置は、非コヒーレント変調を使用して基地局によって送信されたページングインジケータを受信する（ブロック９１２）。端末装置は、例えば、ページングインジケータが受信される通信チャネルのチャネル推定を得ることなく受信したページングインジケータに非コヒーレント検波を実行する（ブロック９１４）。端末装置は、ページングインジケータを搬送するＯＦＤＭシンボルを受信し、周波数領域シンボルを得るために受信したＯＦＤＭシンボルにＦＦＴを実行し、そして検出されたページングインジケータを得るために周波数領域シンボルに非コヒーレント検波を実行することができる。概して、非コヒーレント検波は、基地局によって実行される非コヒーレント変調と相補的である方法で実行される。端末装置は、検出されたページングインジケータに基づいてページングメッセージを受信すべきかどうかを決定する（ブロック９１６）。端末装置は、検出されたページングインジケータがページングメッセージを受信することを示す場合に、ページングメッセージに対して同期検波を実行することができる。
【００８５】
図１０は、ページングインジケータを受信するための装置１０００の１つの実施形態を示す。装置１０００は、非コヒーレント変調を使用して基地局によって送信されたページングインジケータを受信するための手段（ブロック１０１２）、受信したページングインジケータに非コヒーレント検波を実行するための手段（ブロック１０１４）、および検出されたページングインジケータに基づいてページングメッセージを受信すべきかどうかを決定するための手段（ブロック１０１６）を含む。
【００８６】
図１１は、ページングインジケータおよびページングメッセージを受信するための処理１１００の１つの実施形態を示す。端末装置は、基地局からページングインジケータを搬送する少なくとも１つのＯＦＤＭシンボルを受信する（ブロック１１１２）。端末装置は、ページングインジケータを検出するために少なくとも１つのＯＦＤＭシンボルを処理する（ブロック１１１４）。端末装置は、ページングインジケータが、端末装置が潜在的にページングされていることを示す場合に、ページングチャネルから少なくとも１つのページングメッセージを受信する（ブロック１１１６）。端末装置は、少なくとも１つのページングメッセージのうちのいずれか１つが、例えば、各ページングメッセージ内に含まれる識別情報に基づいて端末装置用であるかどうかを判定する（ブロック１１１８）。ページングメッセージが端末装置用である場合、このとき、端末装置は、ページングメッセージに対する肯定応答を送信する（ブロック１１２０）。
【００８７】
ページングインジケータは、端末装置の１つまたは複数のグループに対して１つまたは複数のインジケータビット、各端末装置のグループに対して１つのインジケータビットを備えることができる。各インジケータビットは、端末装置の関連するグループ内の少なくとも１つの端末装置がページングされているかどうかを示すことができる。ページングインジケータは、端末装置の少なくとも１つのグループ内の複数の端末装置がページングされているかどうかを示す拡張ビットを備えることもできる。ページングインジケータは、ページングチャネルの複数のセグメントに関連付けられることがある複数のインジケータビット、各インジケータビットに対して１つのページングチャネルセグメントを備えることができる。複数のグループの端末装置用のページングメッセージは、ページングチャネルの複数のセグメント内で送信されることがある。各ページングチャネルセグメントは、例えば、ページングされている１つの端末装置用の多くても１つのページングメッセージを搬送することができる。
【００８８】
端末装置は、端末装置に適用できるインジケータビット（端末装置のグループ内の少なくとも１つの端末装置がページングされていることを示す）が設定されているかどうか、拡張ビット（少なくとも１つのグループ内の複数の端末装置がページングをもたらしていることを示す）が設定されているかどうかを決定することができる。インジケータビットだけが設定されている場合、このとき、端末装置は、このインジケータビットに関連したページングチャネルセグメントからページングメッセージだけを受信することができる。インジケータビットおよび拡張ビットの両方が設定されている場合、このとき、端末装置は、複数の（例えば、すべての）ページングチャネルセグメントからページングメッセージを受信することができる。
【００８９】
各ページングメッセージは、ページングされている端末装置に関する識別情報、ページングされた端末装置によって実行されるべき動作を示すページング形式などを伝達することができる。端末装置がページングされている場合、このとき、端末装置は、ページング形式によって示される動作を実行することができる。例えば、端末装置は、ページングメッセージに関するさらなる情報を得るためにシステムにアクセスし、そして基地局とシングナリングを交換することができる。
【００９０】
ページングインジケータは、目覚めている時間を低減するために単一のＯＦＤＭシンボル内で送信されることがあり、高速のページング応答を実現するために短い周期性（例えば、１００ミリ秒未満）を用いて送信されることがある。各ページングメッセージは、ページングチャネルに関する各時間対周波数ブロック上で送信されることがある。各ページングメッセージに対する肯定応答は、肯定応答を送信するために留保され、不正確なタイミングを有する端末装置によって使用されるのに適した無線リソース（例えば、トーンおよびシンボル周期）内で送信されることがある。肯定応答は、肯定応答を送信する端末装置に特定した情報を搬送しないことがある。端末装置は、少なくとも１つの波形を送信することができ、各波形は、肯定応答を伝達するために共通の主要部を有する複数のＯＦＤＭシンボルを備える。端末装置は、肯定応答に基づいて基地局によって決定されるタイミング調整を受信することができ、タイミング調整に基づいてそのタイミングを調整することができる。
【００９１】
図１２は、ページングインジケータおよびページングメッセージを受信するための装置１２００の１つの実施形態を示す。装置１２００は、基地局からページングインジケータを搬送する少なくとも１つのＯＦＤＭシンボルを受信するための手段（ブロック１２１２）、ページングインジケータを検出するために少なくとも１つのＯＦＤＭシンボルを処理するための手段（ブロック１２１４）、ページングインジケータが、端末装置が潜在的にページングされていることを示す場合にページングチャネルから少なくとも１つのページングメッセージを受信するための手段（ブロック１２１６）、少なくとも１つのページングメッセージのうちのいずれか１つが端末装置用であるかどうかを決定するための手段（ブロック１２１８）およびページングメッセージが端末装置用である場合にページングメッセージに対する肯定応答を送信するための手段（ブロック１２２０）を含む。
【００９２】
図１３は、図１での基地局１１０および端末装置１２０の１つの実施形態のブロック図を示す。基地局１１０では、送信（ＴＸ）データおよびシグナリングプロセッサ１３１０は、受け持たれる端末装置用のトラヒックデータおよびシグナリング（例えば、ＤＬ．ＢＣＨ．ＦＰＧに関するページングインジケータ、ＤＬ．ＰＣＨに関するページングメッセージ、タイミング調整など）を受信する。プロセッサ１３１０は、トラヒックデータ、シグナリング、およびパイロットを処理し（例えば、フォーマット化し、符号化し、インタリーブし、シンボルマッピングし）、そして出力シンボルを供給する。ＯＦＤＭ変調器１３１２は、出力シンボルにＯＦＤＭ変調を実行し、ＯＦＤＭシンボルを生成する。送信機（ＴＭＴＲ）１３１４は、アンテナ１３１６を介して送信されるダウンリンク信号を生成するためにＯＦＤＭシンボルを調整する（例えば、アナログに変換し、フィルタリングし、増幅し、アップコンバートする）。
【００９３】
端末装置１２０では、アンテナ１３５２は、基地局１１０および他の基地局からダウンリンク信号を受信し、受信した信号を受話器（ＲＣＶＲ）１３５４に供給する。受話器１３５４は、受信した信号を調整しディジタル化し、サンプルを供給する。ＯＦＤＭ復調器（Ｄｅｍｏｄ）１３５６は、サンプルにＯＦＤＭ復調を実行し、使用可能なトーンに関する周波数領域シンボルを供給する。受信（ＲＸ）データおよびシグナリングプロセッサ１３５８は、周波数領域シンボルを処理し（例えば、シンボルディマッピングし、ディインターリーブし、復号し）、そして端末装置１２０に関する復号されたデータおよびシグナリングを供給する。プロセッサ１３５８は、ページングインジケータの非コヒーレント検波、同期検波およびページングメッセージの復号などを実行することができる。プロセッサ１３５８および／またはコントローラ／プロセッサ１３７０は、図９の処理９００を実行することができる。
【００９４】
コントローラ／プロセッサ１３７０は、プロセッサ１３５８からページングメッセージを受信し、何らかのページングメッセージが端末装置１２０用であるかどうかを決定し、ページング肯定応答を生成する。ＴＸデータおよびシグナリングプロセッサ１３６０は、基地局１１０に送信されるべきトラヒックデータ、シグナリング（例えば、ページング肯定応答）、およびパイロットに関する出力シンボルを生成する。ＯＦＤＭ変調器１３６２は、出力シンボルにＯＦＤＭ変調を実行し、ＯＦＤＭシンボルを生成する。送信機１３６４は、ＯＦＤＭシンボルを調整し、アンテナ１３５２を介して送信されるアップリンク信号を生成する。
【００９５】
基地局１１０では、端末装置１２０および他の端末装置からのアップリンク信号は、アンテナ１３１６によって受信され、受話器１３２０によって調整されディジタル化され、ＯＦＤＭ復調器１３２２によって復調され、そして端末装置１２０および他の端末装置によって送信されたトラヒックデータおよびシグナリングを再生するためにＲＸデータおよびシグナリングプロセッサ１３２４によって処理される。コントローラ／プロセッサ１３３０は、端末装置１２０からページング肯定応答を受信し、端末装置に対するタイミング調整を決定することができる。
【００９６】
コントローラ／プロセッサ１３３０および１３７０は、それぞれの基地局１１０および端末装置１２０で様々な処理ユニットの動作を指示する。コントローラ／プロセッサ１３７０は、図１１の処理１１００および／またはページングに関する他の処理を実行することができる。メモリ１３３２および１３７２は、それぞれの基地局１１０および端末装置１２０に関するプログラムコードおよびデータを記憶する。
【００９７】
本明細書で説明されるページング技術は、様々な手段によって実現されることがある。例えば、これらの技術は、ハードウェア、ファームウェア、ソフトウェア、またはその組合せで実現されることがある。ハードウェアの実装形態の場合、ページングのために使用される端末装置または基地局における処理ユニットは、１つまたは複数の特定用途向け集積回路（ＡＳＩＣ）、ディジタル信号プロセッサ（ＤＳＰ）、ディジタル信号処理ユニット（ＤＳＰＤ）、プログラマブル論理装置（ＰＬＤ）、フィールドプログラマブルゲートアレイ（ＦＰＧＡ）、プロセッサ、コントローラ、マイクロコントローラ、マイクロプロセッサ、電子装置、本明細書で説明される機能を実行するように設計された他の電子装置、またはその組合せ内で実現されることがある。
【００９８】
ファームウェアおよび／またはソフトウェアの実装形態の場合、ページング技術は、本明細書で説明される機能を実行するモジュール（例えば、手順、機能など）を用いて実現されることがある。ファームウェアコードおよび／またはソフトウェアコードは、メモリ（例えば、図１３のメモリ１３３２または１３７２）内に記憶されることがあり、プロセッサ（例えば、プロセッサ１３３０または１３７０）によって実行されることがある。メモリは、プロセッサ内またはプロセッサの外部で実現されることがある。
【００９９】
開示された実施形態の以前の説明は、当業者が本発明を作成するまたは使用することができるために提供される。これらの実施形態に対する様々な変更は当業者には容易に明らかであり、そして本明細書で定義された包括的な原理は、本発明の精神または範囲から逸脱することなく他の実施形態に適用されることがある。したがって、本発明は、本明細書で示された実施形態に限定されるものではなく、本明細書で開示された原理および新しい特徴に従う全幅の範囲を許与されるものである。
【図１】
2009544244.tif 000012
【図２】
2009544244.tif 000013
【図３】
2009544244.tif 000014
【図４】
2009544244.tif 000015
【図５】
2009544244.tif 000016
【図６】
2009544244.tif 000017
【図７】
2009544244.tif 000018
【図８Ａ】
2009544244.tif 000019
【図８Ｂ】
2009544244.tif 000020
【図９】
2009544244.tif 000021
【図１０】
2009544244.tif 000022
【図１１】
2009544244.tif 000023
【図１２】
2009544244.tif 000024
【図１３】
2009544244.tif 000025
【国際調査報告】
2009544244.tif 000026
2009544244.tif 000027
2009544244.tif 000028